(57)【要約】      （修正有）【課題】音響機器であるスピーカー装置の低音部を改善し、音程、音域、音質を向上させたスピーカー装置を提供する。【解決手段】スピーカー装置内部のスピーカーユニット２２周囲の上下左右背面に遮蔽板１〜４等を設け、遮蔽板１に開口部９を設け、スピーカーユニット背面遮蔽板２をスピーカーボックス前面パネルとの平行を避ける様に傾斜して取り付け、更にスピーカー後部に後面板４を設け、これら遮蔽板や後面板とスピーカーボックスにより出来た空間を伝播する音波により共鳴管から音程、音域、音質の向上した低音を放射するスピーカー装置とする。【選択図】図１
0003181730.tif 000002
【実用新案登録請求の範囲】
【請求項１】
スピーカーボックス筐体とスピーカーユニットよりなるスピーカー装置において、スピーカーユニット周囲上下左右の側面の少なくとも１面とスピーカーユニット背面とを遮蔽板でスピーカーボックス筐体よりスピーカーユニットを遮蔽し、スピーカーユニット周囲上下左右の遮蔽板に少なくとも１箇所開口部を設け、更にスピーカーユニット背面の遮蔽板とスピーカーボックス筐体間にスピーカー後面板を設け、スピーカーユニット側面遮蔽板とスピーカーボックス筐体間及びスピーカーユニット後面板とスピーカーボックス筐体間そしてスピーカーユニット背面遮蔽板とスピーカーユニット後面板間の一体となった空間から遮蔽板開口部を通った音をスピーカーボックス筐体外に放射する為に、両端が開放した管をこの空間からスピーカーボックス筐体外に向け設けたことを特徴とするスピーカー装置。
【請求項２】
スピーカーユニット背面の遮蔽板をスピーカーユニット中心軸に対して＋５°乃至＋８５°或いは−５°乃至−８５°の角度を以って傾斜させ設けたことを特徴とする請求項１に記載のスピーカー装置。
【請求項３】
スピーカーユニット上下左右の側面の遮蔽板とスピーカーユニット後面板の少なくとも１枚の板とスピーカーボックス筐体間に一つ以上の桟を接着固定させたことを特徴とする請求項１に記載のスピーカー装置。
【考案の詳細な説明】
【技術分野】
【０００１】  本考案は特に低音域の音質を改善するスピーカー装置に関する。
【背景技術】
【０００２】  音響機器のスピーカー装置において、低音部の出力減衰を補うためにスピーカーボックスに工夫が凝らされている。スピーカーユニット自体では良い音質、音程、音量が得にくく、スピーカーボックス筐体に、例えば、バスレフ型やバックロードホーン型等の音声出力方法を設けている。
【先行技術文献】
【特許文献】
【０００３】
【特許文献１】特開平０６−２１７３８５号公報
【特許文献２】特開２００７−２３５２８２号公報
【特許文献３】特開２００６−２５３９４８号公報
【考案の概要】
【考案が解決しようとする課題】
【０００４】  従来のバスレフ型スピーカー装置では低音域が強調されるが、単調で音程が確かではないことがあり、バックロードホーン型スピーカー装置では装置が大きくなるか複雑になる欠点があった。
【課題を解決するための手段】
【０００５】  スピーカーボックス筐体とスピーカーユニットよりなるスピーカー装置において、スピーカーユニット周囲上下左右の側面の少なくとも１面と背面とを遮蔽板でスピーカーボックス筐体よりスピーカーユニットを遮蔽し、スピーカーユニット周囲上下左右の遮蔽板に少なくとも１箇所遮蔽板開口部を設け、更にスピーカーユニット背面の遮蔽板とスピーカーボックス筐体間にスピーカーユニット後面板を設け、スピーカーユニット側面遮蔽板とスピーカーボックス筐体間及びスピーカーユニット後面板とスピーカーボックス筐体間そしてスピーカーユニット背面遮蔽板とスピーカーユニット後面板間に空間を設け、遮蔽板開口部を通った音をその連続した空間からスピーカーボックス筐体外に放射する為に、両端が開放した管をこの空間からスピーカーボックス筐体外に管の片端を向け設けたスピーカー装置を提供する。スピーカーユニット周囲の側面遮蔽板とスピーカーボックス筐体間及びスピーカーユニット後面板とスピーカーボックス筐体間そしてスピーカーユニット背面遮蔽板とスピーカー後面板間の空間は連続しており、一体となっている。【０００６】  遮蔽板開口部をスピーカーユニットの振動板及び磁石側面に設けたスピーカー装置を提供する。そして、スピーカーユニット中心軸に対して直角以外の角度で、望ましくは＋５°乃至＋８５°或いは−５°乃至−８５°の角度を以って、傾斜させた遮蔽板をスピーカーユニット背面に設けたスピーカー装置を提供する。【０００７】  更に、必要により、スピーカーユニット側面遮蔽板やスピーカーユニット後面板のいずれかとスピーカーボックス筐体間に少なくとも一つ以上の桟を接着固定したスピーカー装置を提供する。【０００８】  本考案はスピーカー装置における特に低音領域の音量、音程、音質向上の為に、バスレフ型の共鳴管（ダクト）を設け、小型で音量、音質共に更に改善、向上させたスピーカー装置とする。【０００９】  本考案では外形図、図４、の断面図、図１、と内部斜視図、図２、そして模式図、図３の様に、特に図３のスピーカーユニット２２側面遮蔽板５、６や図１の背面遮蔽板２とスピーカーユニット後面板４により音波を下方に導いた後に、図１の様にバスレフ型の共鳴管８により、音程の確かな低音をスピーカー装置外に管８の片端８８から放射する様にしている。遮蔽板開口部９をスピーカーユニットの振動板及び磁石２３側面に設けると振動圧が遮蔽板１外の空間１１以降に、より少ない減衰で伝播する。更に、スピーカーユニット背面の遮蔽板２をスピーカーユニット中心軸２６に対して直角以外の角度２５を以って斜めに設置することにより、音波が遮蔽板開口部９に向き、音の籠もりが大きく減少する。【００１０】  図２の様に、本考案の遮蔽板１、２、３、５、６をスピーカーユニット２２周りに設けたことにより図１や図３の様にスピーカーボックス筐体３０及び空間１１、１２、１４、１５、１６周りの剛性が増し、空間１１、１２、１４、１５、１６を伝播する低音質が向上し、低音の音程が確かとなる。スピーカーユニット遮蔽板１、２、３、５、６やスピーカーユニット後面板４の材質や寸法等により、剛性が足りないと考えられる時は図３の様にスピーカーユニット遮蔽板５、６や図１の���ピーカーユニット後面板４とスピーカーボックス筐体３０間に図３の様な桟３３を少なくとも一つ以上接着固定すると音質向上が図れる。本考案実施例では側面遮蔽板５、６に桟３３を複数個取り付けることにより、低音域の音程がより鮮明になった。【００１１】  図１のスピーカーユニット遮蔽板１、２、３は水平板に拘らず、湾曲板でも良い。又、両端８８、８９が開放した共鳴管８は円管でも多面管でも良い。
【考案の効果】
【００１２】  本考案のスピーカー装置では立体的に数十センチメートル四方以内で構成できる小型で、良好な低音の音程、音域、音質、が提供できる。本考案のスピーカー装置により、低音域の周波数特性は元より、単なる低音では無く、音程のよりしっかりした低音を提供できる。再度、本発明のスピーカー装置により、低音域の周波数特性の向上ができると共に、小型スピーカー装置では得られない音域・音質を提供できる。更にスピーカーボックス内の音の籠もりや箱鳴りを回避できる。
【図面の簡単な説明】
【００１３】
【図１】本考案のスピーカー装置の図４の５５−５５、５６−５６での方向５７から見た断面図である。
【図２】本考案のスピーカー装置の遮蔽板と後面板部分の斜視図である。
【図３】本考案のスピーカー装置を正面から見た内部の模式図である。
【図４】本考案のスピーカー装置の外観斜視図である。
【考案を実施するための形態】
【００１４】  小型スピーカーボックス内のスピーカーユニットを遮蔽板で囲み、開口部を遮蔽板に設け、更にスピーカーユニット後面板を設け、遮蔽板や後面板とスピーカーボックスとの間にできた空間を音道とし、共鳴管により音程、音質の良い低音放射を実現した。
【実施例】
【実施例１】
【００１５】  図４の様に幅１８０ｍｍ、高さ３９０ｍｍ、奥行き１８０ｍｍ、の外形のスピーカー装置を作成した。図１は図４の断面図である。図１のスピーカーユニット２２はウェーブコア社のＷＦ１４６ＷＡ０２−０１型中低音用を使用し、本発明のスピーカー装置への音響アンプはソニー株式会社のＴＡ−ＦＡ５ＥＳ型を使用し、音程、音域、音質を確認した。【００１６】  図１及び図２の様に、スピーカー遮蔽板１、２、３、５、６やスピーカー後面板４は厚さ１２ｍｍの合板を使用した。スピーカーボックス筐体３０は天板・底板は厚さ１５ｍｍとし、前後面板は厚さ１２ｍｍとした。共鳴管８は両端８８、８９が開放した内径４８ｍｍ、長さ１５０ｍｍ、厚さ３ｍｍの円筒状の塩化ビニール管を使用した。【００１７】  図１の様にスピーカーユニット２２上側面の遮蔽板１に直径５０ｍｍの円形開口部９を設け、スピーカーユニット２２背面にスピーカーユニット中心軸２６に角度２５を８０°斜めに背面板２をスピーカーボックス前面パネルとの平行を避ける様に取り付け、更にその後ろにスピーカーユニット後面板４を設け、又、図２の様に、スピーカーユニット２２側面右左に遮蔽板５、６をそれぞれ設けた。尚、図４のスピーカー装置を上下逆さに置いた場合、図１ではスピーカーユニット中心軸２６に対し、角度２５は−８０°斜めに背面板２を取り付けた事となる。【００１８】  図１及び図２のスピーカーユニット２２背面空間の音、音波、はスピーカーユニット２２上側面の遮蔽板１開口部９より空間１１を通り、図１の後面空間１４及び図３の側面空間１５、１６を伝播する。図１のスピーカーユニット背面遮蔽板２と後面板４間の空間１２を含めた空間１１、１４、１２、図３の空間１５、１６の音圧により、共鳴管８で低音を選択的にスピーカーボックス３０外に管８の片端８８より音を放射する。【００１９】  本実施例は音の道となる音道を図１や図３の様にスピーカーユニット上部空間１１から後面空間１４と側面空間１５、空間１６そしてスピーカーユニット背面空間１２と連続した空間としている。又、本実施例の図１では遮蔽板２は上端が遮蔽板１、下端が遮蔽板３に接合されているが、上端が遮蔽板１又は後面板４、下端がスピーカーボックス前面３０に接合し、遮蔽板３は設けなくても良い。
【実施例２】
【００２０】  実施例１のスピーカー装置に、桟を設けたスピーカー装置を作成した。図３のスピーカーユニット両側面の間隙（１５ｍｍ）である右空間１５、左空間１６に長さ３０ｍｍ、高さ１５ｍｍ、幅１０ｍｍの長方体の桟３３を１０本ずつ「ハ」の字形に適宜取り付けた。図３の模式図の様に桟３３は遮蔽板５、６とスピーカーボックス筐体３０双方に接着剤で強く固定された。【００２１】  桟３３は図３の様に遮蔽板５、６とスピーカーボックス筐体３０間に取り付けられているのでスピーカーボックス筐体３０の剛性が上がり、音質が良くなると同時に、よくあるスピーカーボックス自体の振動による箱鳴りが防止できる。更に、桟３３を複数個取り付けることにより、音の迷路ができ、より良い低音が出た。桟３３は特にスピーカーボックス筐体３０の剛性が足りないと考えられる時に使用すると良い。【００２２】
0003181730.tif 000003
【００２３】  上記グラフ１は周波数特性試験での結果である。縦軸は減衰率ｄＢ（デシベル）であり、横軸は周波数Ｈｚ（ヘルツ）である。１５０Ｈｚより低い周波数では約７０Ｈｚをピークとして減衰が軽減され周波数特性が改善していた。【００２４】  高音スピーカーユニット（ツィーター）を図１の空間１１のスピーカーボックス３０前面に取り付けたスピーカー装置とした場合、凡そ４０Ｈｚから２０ｋＨｚ位までは良い周波数特性が見られ、本考案による周波数特性向上が顕著に見られた。
【産業上の利用可能性】
【００２５】本考案のスピーカー装置は音響機器の出力機器として、家庭内、企業、劇場、舞台等、屋内・屋外で使用される。
【符号の説明】
【００２６】１    スピーカーユニット上側面の開口部のある遮蔽板
２    スピーカーユニット背面の遮蔽板
３    スピーカーユニット下側面の遮蔽板
４    スピーカーユニット後面の遮蔽板
５    スピーカーユニット前面から見て右側面の遮蔽板
６    スピーカーユニット前面から見て左側面の遮蔽板
８    両端が開放した管
９    遮蔽板の開口部
１１  スピーカーユニット上側面遮蔽板とスピーカーボックス筐体間の空間
１２  スピーカーユニット背面板と後面板間の空間
１４  スピーカーユニット後面板とスピーカーボックス筐体間の空間
１５  スピーカーユニット右側面とスピーカーボックス筐体間の空間
１６  スピーカーユニット左側面とスピーカーボックス筐体間の空間
２２  スピーカーユニット
２３  スピーカーユニットの振動板と磁石のある部分
２５  スピーカーユニット背面遮蔽板のスピーカーユニット中心軸に対する傾斜角度
２６  スピーカーユニット中心軸
３０  スピーカーボックス（筐体）
３３  桟
５５  断面図を作成するための切断する横軸
５６  断面図を作成するための切断する縦軸
５７  断面図を作成するための断面方向
８８  開放した管の音の出力端
８９  開放した管の後端
【図１】
0003181730.tif 000004
【図２】
0003181730.tif 000005
【図３】
0003181730.tif 000006
【図４】
0003181730.tif 000007